Podtech/llm-jp-corpus-v4-ja_patent huggingface dataset:
(57)【要約】      （修正有）【課題】ボールが動いていても、その表面全体に動物の全身を描くことで、長時間幼児の興味を惹き付けて、ボール遊びを続けさせることができるボールを提供する。【解決手段】幼児にとって、ボールが動いていると、表面の一部に描かれているアニメキャラクターや動物を視認することはできない。そこで、ボール全体にアニメキャラクターや動物の全身を描くと球状にデフォルメする。このボールを投げたり、転がしたりすると、まるで、アニメキャラクターや動物が動いているように見えるので、速度や回転によって変化を楽しむことができる。さらに、ボールに描く題材は、丸いイメージがあって、親しみのある犬、猫、熊、パンダ等が相応しい。また、描く題材の数は、単数でも複数でもよい。また、ボール全体または一部に、凹凸や起毛或いはそれらを組合せることによって立体感を出し、視覚だけでなく、触感も楽しむことができる。【選択図】図１
0003167626.tif 000002
【実用新案登録請求の範囲】
【請求項１】
動物の全身を表面全体に描いたボール
【考案の詳細な説明】
【技術分野】
【０００１】  本考案は、動物の全身を表面全体に描いたボールに関する。
【背景技術】
【０００２】  アニメキャラクターや動物が表面の一部に描かれた幼児向けのボールが販売されている。
【考案の概要】
【考案が解決しようとする課題】
【０００３】  幼児にとって、ボールが動いていると、表面の一部に描かれているアニメキャラクターや動物を視認することはできない。このため、折角幼児向けのボールをデザインしても、長時間幼児の興味を強く惹き付けて、ボール遊びを続けさせることは困難であった。
【課題を解決するための手段】
【０００４】  ボール全体にアニメキャラクターや動物の全身を描くと球状にデフォルメすることができる。このボールを投げたり、転がしたりすると、まるで、アニメキャラクターや動物が動いているように見えるので、速度や回転によって変化を楽しむことができる。【０００５】  ボールに描く題材は、丸いイメージがあって、親しみのある犬、猫、熊、パンダ等が相応しい。また、描く題材の数は、単数でも複数でもよい。【０００６】  さらに、ボール全体または一部に、凹凸や起毛或いはそれらを組合せることによって立体感を出し、視覚だけでなく、触感も楽しむことができる。
【考案の効果】
【０００７】  ボールの機能に、視覚や触感による娯楽性を付加することで、購買意欲と利用を促進する。
【図面の簡単な説明】
【図１】本考案の正面図
【図２】本考案の側面図
【考案を実施するための形態】
【０００８】  起毛した或いは起毛していないボールの表面全体にパンダ一頭の全身を描く。
【実施例】
【０００９】  以下、本考案の実施例について図面を参照して説明すると、図１におけるボール表面全体にパンダ一頭の全身を描く。
【産業上の利用可能性】
【００１０】  本考案により、幼児の興味を強く惹き付けることが可能なボールを提供する。
【符号の説明】  １  ボール
２  動物の描画
【図１】
0003167626.tif 000003
【図２】
0003167626.tif 000004
(57)【要約】      （修正有）【課題】箸の断面形状が丸や四角のみならず、五角、六角、八角等の様々な形状であっても箸の先端が確実に浮く事が出来る箸を提供する。【解決手段】後部２から先端３にかけて先細りして形成される箸１において、先端側６より重量を重くした後部側７の終点４の断面形状と後部側７の始点５の断面形状が同一形状であり、更に後部側７の終点４の断面形状の大きさが、後部側７の始点５の断面形状の大きさの０、６〜１倍の範囲内で形成されている。【選択図】図２
0003167622.tif 000002
【実用新案登録請求の範囲】
【請求項１】
後部（２）から先端（３）にかけて先細りして形成される箸（１）において、先端側（６）より重量を重くした後部側（７）の終点（４）の断面形状と後部側（７）の始点（５）の断面形状が同一形状であり、更に前記後部側（７）の終点（４）の断面形状の大きさが、後部側（７）の始点（５）の断面形状の大きさの０、６〜１倍の範囲内で形成される事を特徴とする箸（１）。
【考案の詳細な説明】
【技術分野】
【０００１】  本考案は、箸に関し、箸先がテーブルにつかず、更には箸置きの必要のない箸に関するものである。
【背景技術】
【０００２】  従来、食事等に持ち用いられる箸は、後部から先端にかけて先細りした形状として構成される。【０００３】  又、断面形状は丸、四角、五角、六角、八角等様々であり、後部では多角形であっても、中央部から先端にかけて円形に先細りさせたりと断面形状も種々多様であった。【０００４】  一方で、長さの中央部の断面を一番大きな形状の円形として、片側は先の細くなる円錐形で、反対は円の直径を辺とする四角錐にした箸が提案されている。【０００５】  又、アッシュコンセプト社製の商品名「ＵＫＩＨＡＳＨＩ」のように先の細くなる一面のみをテーパー状として、箸の先端部分がテーブル等につかないものが知られている。
【先行技術文献】
【０００６】
【先行技術文献１】
実用新案公開平７−３６８４７号公報
【考案の概要】
【０００７】  しかしながら上記特許文献１に示された箸では、使用時に人差し指と親指の間の一対の箸が収まる箇所に、箸の断面が円から四角に変化している一番太い中央部がくるため、使用しずらいという問題点があった。
【０００８】  更に、断面が四角に限定されているため、例えば五角、六角、八角等の多角形の場合に適用させる事が出来なかった。
【０００９】  「ＵＫＩＨＡＳＨＩ」においては、先端の一面のみがテーパー状となっているため、置き方に制限があり、更に転げると箸先がテーブル等に触れてしまう欠点があった。
【問題を解決するための手段】
【００１０】  上記課題を解決するために本考案は後部（２）から先端（３）にかけて先細りして形成される箸（１）において、先端側（６）より重量を重くした後部側（７）の終点（４）の断面形状と後部側（７）の始点（５）の断面形状が同一形状であり、更に前記後部側（７）の終点（４）の断面形状の大きさが、後部側（７）の始点（５）の断面形状の大きさの０、６〜１倍の範囲内で形成される。本考案は以上のような構成からなる箸である。
【考案の効果】
【００１１】  本考案の箸は以上のような構成であるため、先端側より後部側が重いのと、後部側の終点と始点が同一断面であるため断面形状が丸、四角のみならず、五角、六角、八角等の様々な形状であっても箸の先端が確実に浮くためテーブル等につかず、汚さない優れた箸となる。
【００１２】  又、断面形状が後部側の始点と終点で同一のため、万が一テーブルの上で転げても先端が常に浮いているため、テーブルも箸自体も汚さない優れたものとなる。
【００１３】  特に、後部側の終点の断面形状の大きさが、後部側の始点の断面形状の大きさの０、６〜１倍の範囲のうち、０、６倍に近づく程、後部側の形状のテーパー角が大きくなるため箸の先端部がテーブルの平面より高く浮く優れたものとなる。
【図面の簡単な説明】
【００１４】
【図１】従来の箸の一例を示す斜視図である。
【図２】本考案の一実施例を示す斜視図である。
【図３】本考案の一実施例を示す斜視図である。
【図４】本考案の一実施例を示す斜視図である。
【考案を実施するための形態】
【００１５】  本考案における箸の大きさ、形状、デザイン、材質、製造方法は特に限定されない。
【００１６】  先端部より重量を重くした後部側の始点から終点の長さは箸の全長の１／２以下で形成されるのが好ましい。
【００１７】  又、後部側の終点の断面の形状の大きさが、後部側の始点の断面形状の大きさの０、６〜１倍の範囲のうち特に０、８〜０、９倍の範囲内で構成されるものが、一対の箸として使用している際に違和感が無く好ましい。
【００１８】  特に樹脂成形されのが、生産性のコストの面から好ましい。
以下、実施例と図に基づき説明する。
【実施例】
【００１９】  以下、本考案を説明するため従来の一実施例と本考案の一実施例を図１、図２、図３及び図４で説明するがこれによって本考案は何ら限定されるものではない。【００２０】  図１は、従来の後部（２）から先端（３）にかけて先細りして形成される箸（１）を示し、テーブル（８）に置いた際に先端（３）がテーブル（８）に触れる状態を示している。【００２１】  図２は、本考案の一例の斜視図であり、先端側（６）より重量を重くした後部側（７）の終点（４）の断面形状の大きさが後部側（７）の始点（５）の断面の大きさの１倍、つまり同じ大きさで形成されたものを示し、テーブル（８）に置いた際に先端（３）がテーブル（８）より浮いた状態を示している。【００２２】  図３は、本考案の別の一例の斜視図を示し、図１で示した後部側（７）の終点（４）の断面形状の大きさが後部側（７）の始点（５）の断面の大きさの０、９倍、つまり後部側（７）が始点（５）から終点（４）に向かって小さくなるようにテーパー形状が設けられているため、テーブル（８）に置いた際に先端（３）が図１のものよりも更に浮いたものとなる事を示している。【００２３】  図４は、本考案の一例を示した斜視図であり、後部側（７）の始点（５）から終点（４）に向かって四角形状の断面が小さくなっている様子を示している。
【産業上の利用可能性】
【００２４】  箸の先端側より後部側が重いのと、後部側の終点と始点が同一断面であるため、箸の断面形状が丸や四角のみならず、五角、六角、八角等の様々な形状であっても箸の先端が確実に浮く衛生的な優れた箸となる。【００２５】  特に、後部側の終点の断面形状の大きさが後部側の始点の断面形状の大きさの０、６〜１倍の範囲で形成されるが、そのうち０、６倍に近づく程、後部側の形状のテーパー角が大きくなるため、箸の先端部がテーブルに置いた際に高く浮く優れた箸となる。
【符号の説明】
【００２６】１    箸            ２    後部          ３    先端
４    終点          ５    始点          ６    先端側
７    後部側        ８    テーブル
【図１】
0003167622.tif 000003
【図２】
0003167622.tif 000004
【図３】
0003167622.tif 000005
【図４】
0003167622.tif 000006
(57)【要約】【課題】  液体詰め替え用品が、手間を掛けず、一滴残らず容器に移せる用具を提供する。【解決手段】  クリップに鎖をつないだ用具である。クリップで液体詰め替え用品の袋を挟み、鎖の適当な部分を、壁に取り付けたフックに引っ掛けて放置することによって、一滴残らず移し替えることができる。【選択図】図２
0003167628.tif 000002
【実用新案登録請求の範囲】
【請求項１】
クリップに鎖を取り付けた、液体詰め替えパックの詰め替え時の補助具
【考案の詳細な説明】
【技術分野】
【０００１】  この考案は、シャンプーなどの液体詰め替え用品の内溶液を容器に移し替えるための補助用具に関するものである。
【背景技術】
【０００２】  用具を使わず、手で詰め替えパックを絞りながら容器に移し替えていた。
【考案の開示】
【考案が解決しようとする課題】
【０００３】  絞り出す作業は、労力と時間の掛かる単純作業。また、手を汚すことも多く、爪を伸ばしているとさらに苦労する。力を入れて絞りだそうとするとしわになりやすく、袋の内面に付着したものは取りきれず無駄になる。
【課題を解決するための手段】
【０００４】  液体詰め替え用品の袋の端をクリップに挟み、壁につけたフックに本製品の鎖の適当な部分を引っ掛け、内溶液が容器に入るようにセットする。
【考案の効果】
【０００５】  液体詰め替え用品の袋の端をクリップで挟み、内溶液が容器に入るように鎖の最適な場所を選んでフックに引っ掛けるだけで、放置しておけば一滴残らず詰め替えることができる。
【考案を実施するための最良の形態】
【０００６】  浴室等で使用することを想定し、クリップと鎖の材質は腐食しにくいプラスチックなどとする。フックもセットで販売し、壁の適当な場所にフックを取り付けて使用できるようにする。
【図面の簡単な説明】
【０００７】
【図１】本考案の斜視図
【図２】本考案の使用状態を示す説明図
【符号の説明】
【０００８】  １  鎖
２  クリップ
３  壁
４  フック
５  鎖
６  クリップ
７  詰め替え用品の袋
８  容器
【図１】
0003167628.tif 000003
【図２】
0003167628.tif 000004
(57)【要約】      （修正有）【課題】頭部に回転刺激を与えアルツハイマーや脳梗塞や脳出血の予防や治療に使用されている回転治療装置の効果を、更に高めるための付帯装置を取り付けた回転治療装置を提供する。【解決手段】回転治療用の椅子の座席や頭部支えにシートを装着する。シートに遠赤外線領域の電磁波を数時間照射することによりシート自体を共鳴共振させ、遠赤外線領域の共鳴電磁波を発振する物体とし、回転治療を受ける人の血流や神経の電子の流れを円滑にすることで、頭部に与えられる回転刺激をより有効にする。【選択図】図１
0003167624.tif 000002
【実用新案登録請求の範囲】
【請求項１】
回転治療用の椅子の座席や頭部支えに、規定の周波数の遠赤外線領域の電磁波を放射するシートを装着することを特徴とした回転治療装置。
【請求項２】
請求項１に記載の規定の周波数を５〜５０テラヘルツとすることを特徴とした回転治療装置。
【考案の詳細な説明】
【技術分野】
【０００１】  本考案は、頭部に回転刺激を与えアルツハイマーや脳梗塞や脳出血の予防や治療に使用されている回転治療装置の効果を、更に高めるために、遠赤外線領域の共鳴電磁波を発振するシートを座席面や頭部支え表面に装着した回転治療装置を提供することを目的にしている。
【背景技術】
【０００２】  頭部に回転刺激を加えることによりアルツハイマーや脳梗塞や脳出血の予防や治療を行う方法が考案実施され、ある程度の効果を上げている（例えば、特許公開２００６−１６７０９８参照）。この効果が、簡便な方法でさらに上がることが望まれている。
【特許文献】特開２００６−１６７０９８
【考案が解決しようとする課題】
【０００３】  本考案では、回転治療装置で治療する際に、被治療者の血流や神経の電子の流れを円滑にすることにより、回転治療装置の効果を更に高める装置を低コストで提供することを目的とする。
【課題を解決するための手段】
【０００４】  このような課題を解決するために本考案者は、アルミ蒸着シートに５〜５０テラヘルツの遠赤外線領域の電磁波を数時間照射することにより当該シート自体が共鳴共振し、前記と同じ遠赤外線領域の共鳴電磁波を発振することを見出し、本考案をなすに至った。すなわち、本発明は、５〜５０テラヘルツの遠赤外線領域の共鳴電磁波を発振するアルミ蒸着シートを椅子座席部と頭部支え部に装着することを特徴とする回転治療装置である。
【０００５】  本考案のアルミ蒸着シートから放射される５〜５０テラヘルツの遠赤外線領域の電磁波で共鳴共振することで、椅子座席に座る人の血液中の水分子のクラスターを微細化し、血流を良くし、神経の電子の流れを円滑にするとともに、硬直している筋肉を柔軟にする効果が得られる。
【０００６】  上記のシートから放射される５〜５０テラヘルツの遠赤外線領域の電磁波の効果で、筋肉が柔軟になり、神経や血液の流れが良くなった被治療者に、回転治療装置により治療を加えることで、治療効果が更に良くなる。
【考案の効果】
【０００７】  本考案により、より効果的な回転治療装置を低コストで簡便に提供できる。
【図面の簡単な説明】
【０００８】
【図１】は、本考案の側面図である。
【図２】は、本考案の正面図である。
【考案を実施するための形態】
【０００９】  以下、本考案の実施形態について図面を参照しながら詳細に説明する。
図１は、本考案の側面図である。
図２は、本考案の正面図である。
【００１０】  本考案を、回転治療に使用する場合には、図１に示すように、椅子座席部１と頭部支え部２に５〜５０テラヘルツの遠赤外線領域電磁波で共鳴共振した遠赤外線領域電磁波放射シート１０を装着することにより、当該シート１０から放射される遠赤外線領域電磁波１１により、治療のために座った被治療者の血流や電子の流れを円滑にする。
【００１１】  椅子座席部１に固定した回転軸６を、椅子回転台３に取り付けた原動機４で回転し、伝動装置５を介して回転させることにより、椅子に座った被治療者の頭部に回転刺激を与えることが出来、血行を改善し、神経の流れを円滑にする。
【００１２】  遠赤外線領域電磁波１１により円滑になった血流や神経の流れは、頭部に与えられる回転刺激により、脳内の隅々まで行き渡り、脳細胞を活性化する。
【実施例】
【００１３】  本考案の実施例として、５〜５０テラヘルツの遠赤外線領域の電磁波を４時間照射したアルミ蒸着シートを敷いてマッサージ治療をすると筋肉が柔軟になり、マッサージ効果が促進されたり、当該シートを敷いて寝ると快眠できると報告されている。また本考案の回転治療装置も、アルツハイマーの進行を遅くしたり、脳梗塞のリハビリに効果的であることが確認されている。本考案では、すでに効果が確認されている２つの方法を組み合わせることにより、アルツハイマーや脳梗塞や脳出血の治療や予防に、相乗効果が期待できる。
【産業上の利用可能な分野】
【００１４】  本考案は、アルツハイマーや脳梗塞や脳出血の予防や治療の医療用の使用以外に、スポーツ選手の養成や疲労回復にも使用できる。
【符号の説明】
【００１５】  １    椅子座席部
２    頭部支え部
３    椅子回転台
４    椅子回転用原動機
５    伝動装置
６    椅子回転軸
７    スラスト軸受け
８    ラジアル軸受け
９    原動機固定台
１０    遠赤外線領域電磁波放射シート
１１    遠赤外線領域電磁波
【図１】
0003167624.tif 000003
【図２】
0003167624.tif 000004
(57)【要約】      （修正有）【課題】足をあげる際に、膝から下の部位を楽に持ち上げることができる取手付き膝サポーターを提供する。【解決手段】膝サポーターは、上部に手で握ることができる取手を有し、膝の裏面に接合部を有する。【選択図】図１
0003167617.tif 000002
【実用新案登録請求の範囲】
【請求項１】
取手付き膝サポーターは、膝に巻き付ける形状を持ち、膝サポーターの上部に手で握ることのできる取手を有し、取手をつかんで足を持ち上げることで階段などの歩行を楽にすることのできる歩行補助サポーター。
【請求項２】
前記の取手付きサポーターは、リハビリやエクササイズ時に足を楽に持ち上げる事ができる請求項１に記載の歩行補助サポーター。
【請求項３】
前記の取手付きサポーターは、膝の裏面に接合部を有し、マジックテープやベルトの形状で固定することで脱着が楽に行え、取り外しができる形状を特徴とする、請求項１又は、請求項２に記載の取手付き膝サポーター。
【請求項４】
前記の取手付きサポーターは、膝部分に足先から履く事ができる形状を特徴とする、請求項１〜３に記載の取手付き膝サポーター。
【請求項５】
前記の取手付きサポーターは、素材をスキン（クロロプレンゴムペレット、硫黄等の架橋剤、カーボンブラック等の充填剤、内部に気泡を形成させるための発泡剤）ジャージ（スキン素材の表面にニット地を貼り付け加工したもの）起毛（スキン素材の表面に、厚みのあるニット地を貼り付け加工したもの）の組み合わせで製作され、膝にフィットし収縮性を有する形状を特徴とする、請求項１〜４のいずれかに記載の取手付き膝サポーター。
【請求項６】
前記の取手付きサポーターは、メッシュ素材を有することで、肌への通気性を緩和する特徴を持つ請求項１〜５のいずれかに記載の取手付き膝サポーター。
【請求項７】
前記の取手付きサポーターは、プラスチック素材との組み合わせを有する形状の特徴を持つ請求項１〜６のいずれかに記載の取手付き膝サポーター。
【請求項８】
前記の取手付きサポーターは、女性用、男性用で異なるサイズ（Ｓ，Ｍ，Ｌ等）を有する請求項１〜７のいずれかに記載の取手付き膝サポーター。
【請求項９】
前記の取手付きサポーターは、右用、左用を有する請求項１〜８のいずれかに記載の取手付き膝サポーター。
【請求項１０】
前記の取手付き膝サポーターは、素材に有色や模様を有することで、製品に色又は模様による変化を付けることを特徴とする請求項１〜９のいずれかに記載の取手付き膝サポーター。
【請求項１１】
前記の取手付きサポーターは、持ち運び性にもすぐれ、リハビリ等のサポートにも用途を広げることができる特徴を有する請求項１〜１０のいずれかに記載の取手付き膝サポーター。
【請求項１２】
前記の取手付きサポーターは、登山や階段を有する場所で疲労緩和の手助けをする特徴を有する請求項１〜１１のいずれかに記載の取手つき膝サポーター。
【請求項１３】
前記の取手付きサポーターは、持ち手の部分が収縮可能な機能を有する請求項１〜１２のいずれかに記載の取手付き膝サポーター。
【考案の詳細な説明】
【技術分野】
【０００１】本考案は、足をあげる際に、取手を握って膝から下の部位を楽に持ち上げることができる取手付き膝サポーターに関する。
【背景技術】
【０００２】取手付き膝サポーターは、（図１）膝の部分に装着することにより、取手を持ち上げる事で足の関節を楽に曲げることができ、歩行を行う際取手を握って持ち上げることで、足の運びがスムーズに行え、歩行を楽にできる事をサポートする目的とする物である。
【考案の開示】
【０００３】取手を握って足の膝から下の部位を持ち上げる事で、歩行の手助けを自分で手助けできる取手付き膝サポーター（名称＝らくあげ）に関する考案。
【考案が解決しようとする課題】
【０００４】本考案は、高齢者や障害を抱える方が通常歩行や階段歩行などで足をあげる際、スムーズな足の運びを行えない場合が多く、杖や歩行器具に頼る事が多い現状がある。歩行困難者は自分自身で歩行を行いたいと願う気持ちも強く、リハビリテーションを行ったり、寝たきりにならないように、自ら少しでも歩けるように日々努力をする現状が多かった。
【０００５】また、ベットや布団から起き上がる際に足を自分の両手で引き寄せたり、車いすからおりて移動する際に、自ら両手で足を持ち上げ、移動せざるを得ない行為が行われている現状があるため、補助機能として本考案品を使用し片手で足の上げ下げが行えれば個人負担の軽減にもなる。
【０００６】また、本考案は、健常者が登山や階段を上る際も、疲れた足を取手を使って足を持ち上げサポートをする事で、疲労の軽減を行えることをもできる。サポーターとして衣類の一部として装着するので過重負担にならず、手を離せば両手が使え安全を確保する事も可能である。
【課題を解決するための手段】
【０００７】前記サポーターに関しては階段を上る際、足や膝に負担がかかりスムーズに足を運ぶことのできないお年寄りや障害を抱える方が、手で膝の部分を持ち上げれば軽々と足をあげることができる。本品は足を上げる行為をサポートするために、膝の部分に取手付きの膝用サポーターを取付け、手で取手の部分を握り持ち上げることで膝にかかる力を軽減することができる。リハビリテーションの際も手を使うことで足の運びをスムーズに行い、関節の運動をサポートすることができる。
【０００８】また、取手付きサポーターを装着する事で、エクササイズなどを行う際、足の動きをスムーズに行うための補助器具としても役割を担う事ができる。
【図面の簡単な説明】
【０００９】
【図１】本考案の取手付き膝サポーターの外観斜視図である。
【図２】図１の表側平面図でる。
【図３】図１の裏側平面図でる。
【図４】図１の装着図である。
【符号の説明】
【００１０】１  取手付きサポーター
２  本体素材
３  取手
４  両側取り付け部
５  マジックテープ吸着下面側、及びバンド穴側
６  マジックテープ吸着上面側、及びバンド差し込み突起側
７  膝開口部
【図１】
0003167617.tif 000003
【図２】
0003167617.tif 000004
【図３】
0003167617.tif 000005
【図４】
0003167617.tif 000006
(57)【要約】      （修正有）【課題】毛髪の乾燥時間を短縮させる５本指手袋を提供する。【解決手段】吸水性／速乾性に優れたマイクロファイバーなどの合成繊維が素材として使われる。【選択図】図１
0003167650.tif 000002
【実用新案登録請求の範囲】
【請求項１】
マイクロファイバーなど高分子合成繊維を素材とする、5本指手袋。
【考案の詳細な説明】
【技術分野】
【０００１】
本考案は、毛髪や地肌の余分な水分や油分を素早く取り去り、ドライヤーの使用時間を縮め、毛髪や地肌の傷みを最小限にするためのものである。
【背景技術】
【０００２】
従来、木綿や化繊などの汎用手袋があり、これを利用していた。
【先行技術文献】
【特許文献】
【０００３】
【特許文献１】特開２０１０ー６３４７９号
【０００４】
【特許文献２】特開２００７ー７０７７６号
【０００５】
【特許文献３】特開２００２ー３３６０３４号
【０００６】
【特許文献４】登録実用新案第３１４５４４０号
【０００７】
【特許文献５】登録実用新案第３０３１３３８号
【考案の概要】
【考案が解決しようとする課題】
【０００８】
従来の製品で使われている素材では、吸水力が不充分であり、毛髪の保護や消費電力の省力化に於いて不利であった。本考案はこれらの問題点を解決するものである。
【課題を解決するための手段】
【０００９】
本考案は、吸水性/速乾性に優れたマイクロファイバーなどの合成繊維が素材として使われることを特徴とする。
【考案の効果】
【００１０】
本考案のヘアドライ手袋は、高吸水/吸油性に優れており、ドライヤーを併用する場合でも髪へのダメージを最小限に抑え、ドライヤーの使用時間も短縮するので省エネルギーも期待できる。また吸油性にも優れているので、長期入院など洗髪できない状況でも、頭皮の余分な油分を拭き取るのに有効であり、医療分野への貢献も期待できる。
【図面の簡単な説明】
【００１１】
【図１】図１は、製品の形態図である。
【図１】
0003167650.tif 000003
(57)【要約】      （修正有）【課題】座席の両側に肘掛アームを上下二段に設け、取付部はピン構造で回転して収納出来る様にし、不必要な時は収納しておく、又隣り合う人同士が肘を広げて同時に肘掛に肘を乗せて同じ条件で座れる様にする二段アーム座席を提供する。【解決手段】座席１背もたれ側面に肘掛アーム２，３を上下二段に設け、取付け部をピン４で固定し回転も出来る構造にし、その肘掛アーム２，３は同時に収納しも干渉しない様に、互いのピン４を少しずらして取付け、肘掛アーム２，３が９０°回転しても、肘掛アーム２，３は接触すること無く収納される。又単独で下側肘掛アーム３を９０°下側に回転して水平な位置に来たらストッパーで止ておけば、従来の座席としての形であり、上側肘掛アーム２を９０°下側に回転して上側肘掛アーム２と下側肘掛アーム３の間に肘を置いても当らない隙間で配置しておけば、隣り合う人同士が両肘を広げて同じ条件で座ることが出来る。【選択図】図１
0003167602.tif 000002
【実用新案登録請求の範囲】
【請求項１】
座席の肘掛  アームを上下二段に設け、未使用時は収納可能とし、隣り合う肘と肘の干渉を避け、隣り合う人同士が両肘を付いても座れる様にした、肘掛  二段アーム座席。
【考案の詳細な説明】
【技術分野】
【０００１】    本考案は、隣接する座席の肘掛アームを上下二段に設けた、座席の肘掛に関するものである。
【背景技術】
【０００２】    横に複数個座席を並べた場合、隣り合う人同士の肘と肘は、狭い同じアーム上で窮屈で接触し、凌ぎあい見知らぬ人同士がお互いストレスを抱かぬためには、体の向きをずらしたり、接触して敵意を感じさせぬ工夫をして、お互いが遠慮し譲り合っていた。
【考案の概要】
【考案が解決しようとする課題】
【０００３】    横並びの座席に隣り合う人が座って両肘を乗せると、最小限に構成された設備の中では、肘掛アームの幅には限界があり、狭く設定せざるを得ない。
そこで、規定された肘掛アームの幅は其のままで、同じ規格幅の肘掛アームを、上下二段に設置することにより、隣り合う人々は各々が両肘を上段アームか下段アームに乗せて座れる様にすれば解決出来る、尚アームは、根元の取付け部をピン構造にして回転出来る様にすれば、邪魔な時は格納する事が出来る。
【課題を解決するための手段】
【０００４】    本考案は、肘掛アームを、隣り合う人同士人が肘を乗せる事の出来る隙間で上下二段に設け、又アームの取付け側は格納する事が出来る様にピン構造とし、不必要な時は夫々上下のアームを回して納めれば、既設座席の規定を損なうことも無い、隣り合う人同士が同席して両肘を肘掛アームに乗せたい時は、肘掛アームの上下を水平に戻して両肘を乗せて座れるから、長旅も楽な姿勢で満喫出来るので、背景技術を解決出来る。
【考案の効果】
【０００５】    長旅をする上で、座席に座って同じ姿勢で両肘を使わず長時間座っていると辛くなる、寛ぎやストレス解消のため肘をアームに乗せて力の分散等を試みようとすれば、隣の人がアームを使用していると肘を乗せることが出来ないので遠慮して窮屈な姿勢のままでいた、本考案はその両肘を広げても乗せられる肘掛アームを上下二段に設けたので、どちらかが上側か下側のアームに両肘を乗せて好みの姿勢で座ることが出来ると、隣り合う人同士は同じ条件で座ることが出来ストレスも抱かない様になる。
【図面の簡単な説明】
【０００６】
【図１】  本考案の肘掛アームを取付けた全体の斜傾図である。
【図２】  図１で示す全体の正面図である。
【図３】  座席全体の側面図
【考案を実施するための最良の形態】
【０００７】    座席の両側に設ける肘掛アームを、肘を入れても少し余裕の有る互いが干渉しない隙間で上下二段に取付け、掃除やスペース確保等不必要時アームが邪魔になった時、収納出来るようにアームの取付け部にピンを設け回転出来る様にすれば収納出来る、又上段が不必要な時は収納出来るので、従来の肘掛座席の形態が保たれる。
【実施例】
【０００８】    図３で示す１の座席背もたれ側面に、２及び３の肘掛アームを上下二段に４のピンで取付け、図３の側面図で示す様に２の上側肘掛アームは、３の下側肘掛アームより少し位置をずらして、３の下側肘掛アームが上方に回転しても、始めに収納した２の上側肘掛アームと干渉しない位置え４のピンで取付ければ、同時に上下二段の肘掛アーム２、３を収納可能で、又上側肘掛アーム２のみを収納しておくと従来の座席として使用される。
【符号の説明】
【０００９】    １．座席
２．上側肘掛アーム
３．下側肘掛アーム
４．ピン
【図１】
0003167602.tif 000003
【図２】
0003167602.tif 000004
【図３】
0003167602.tif 000005
(57)【要約】      （修正有）【課題】実用性及び装飾性があるデンタルフロスケースを提供する。【解決手段】デンタルフロスケースの周りを生クリームに見立てたシリコンパテとその上にガラスビーズお菓子の模型をデコレーションする。【選択図】図１
0003167605.tif 000002
【実用新案登録請求の範囲】
【請求項１】
ケースの周りをシリコンパテとガラスビーズ、お菓子の模型でデコレーションしたデンタルフロスケース。
【考案の詳細な説明】
【考案の詳細な説明】
【技術分野】
【０００１】この考案は、ケースの周りをデコレーションしたデンタルフロスケースに関するものである。
【考案が解決しようとする課題】
【０００２】従来のデンタルフロスケースは、実用性にのみ作用し、装飾性があるものがあまりない状態になっていた。
【課題を解決するための手段】
【０００３】本考案は、デンタルフロスケースの周りを生クリームに見立てたシリコンパテとその上にガラスビーズお菓子の模型をデコレーションし、装飾性を持たせた。
【考案の効果】
【０００４】本考案は、デンタルフロスケースの周りをデコレーションし、装飾性を持たせ、洗面台に置くインテリアの要素を持ち得るものとした。
【図面の簡単な説明】
【図１】本考案の正面図である。
【図２】本考案の側面図である。
【図３】本考案の上面図である。
【符号の説明】１  デンタルフロスケース
２  シリコンパテ
３  ガラスビーズ
４  お菓子の模型
【図１】
0003167605.tif 000003
【図２】
0003167605.tif 000004
【図３】
0003167605.tif 000005
(57)【要約】      （修正有）【課題】従来、ログハウスはセトリングと呼ばれる木の収縮によって締結ボルトが緩むために、定期的にナットを占める必要がある。その際に突出したボルトを切断する必要があるが、それを要しないようにする座金付きナットを提供する。【解決手段】金物１をボルトの片方に取り付ける。金物１の座金部３とネジ切り部２の間にパイプ部が取り付けられていることにより、袋ナット１０で締め込んだ締結ボルト６を金物１の内部に収納することができる。これにより従来必要であった、ボルトの切断作業を無くすまたは軽減する。【選択図】図１
0003167603.tif 000002
【実用新案登録請求の範囲】
【請求項１】
座金とナットの間にパイプ部を設けることで、木材の収縮によるボルトの伸びを吸収し、ボルトの切断作業をなくす金物である。
【考案の詳細な説明】
【技術分野】
【０００１】
本考案は、ログハウス用の木材収縮に対応する専用締結金物である。
【考案の概要】
【考案が解決しようとする課題】
【０００２】
従来、ログハウスはセトリングと呼ばれる木の収縮によって締結ボルトが緩むために、定期的にナットを占める必要がある。その際に突出したボルトを切断する必要があるが、本考案はそれを要しないようにすることである。
【課題を解決するための手段】
【０００３】
本考案は、従来のボルト切断分長さを座金とナットの間のパイプ部または金物外に突出させることで吸収することを最も主要な特徴とする。
【考案の効果】
【０００４】
本考案の金物は、本来切断する必要があったボルトを座金とナットの間のパイプ部または金物外に突出することで吸収し、ボルトの切断作業をなくす、または軽減するという利点がある。
【図面の簡単な説明】
【０００５】
【図１】図１はを取り付け状態を示した説明図である。
【図２】図２は本金物の上面図である
【図３】図３は本金物の断面図である
【考案を実施するための形態】
【０００６】
次に、本考案の実施の形態の例を、図を用いて説明する。
【実施例】
【０００７】
図１は、実施例の断面図であって、１が本考案の金物である。本図は１を上部に取り付けているが、下部に取り付けても良い。
【０００８】
８はログハウスに用いられている丸太材で、段数にあってはこの図の限りでない。７は、８に穿孔された締結用の穴である。
【０００９】
８の木材が収縮することによって、１、６、９および１０での締結が緩む。
【００１０】
緩んだ際には１０を締め込むことによって、６が回転し再度８が締結される。
【００１１】
その際、６は１の中に収納される。これが本考案の最も主要な特徴である。なお、８の収縮量が１の許容範囲を超えた場合は、４より６が突出し１の機能を妨げない。
【００１２】
５は６および１０を締め込んだ際の回り止め用の釘である。
【符号の説明】
【００１３】
１    金物本体
２    ネジ切り部
３    座金部
４    ボルト貫通穴
５    回り止め用釘穴
６    締結ボルト
７    穿孔穴
８    丸太材
９    座金
１０    袋ナット
１１    パイプ部
【図１】
0003167603.tif 000003
【図２】
0003167603.tif 000004
【図３】
0003167603.tif 000005
(57)【要約】      （修正有）【課題】現存する個人の可視化できる量のＤＮＡを用いたメモリアルプレートを提供する。【解決手段】合成樹脂の台座上に、個人のＤＮＡを埋封した合成樹脂を配置し、さらにその上に合成樹脂を流して固化させる。個人情報と遺伝情報を記した金属プレートや、装飾性の花等を合成樹脂中に埋封する。【選択図】図４
0003167606.tif 000002
【実用新案登録請求の範囲】
【請求項１】
合成樹脂の中に、現存する個人のDNAを埋封したことを特徴とするメモリアルプレート。
【請求項２】
合成樹脂の中に、個人情報と個人のDNAのアクアポリン1（AQP1）遺伝子等の遺伝情報を記した金属プレートを埋封したことを特徴とするメモリアルプレート。
【請求項３】
合成樹脂の中に、花等を埋封し、装飾性を持たせたことを特徴とするメモリアルプレート。
【考案の詳細な説明】
【技術分野】
【０００１】
本考案は、合成樹脂の中に、個人情報の生体分子であるDNAを埋封し、長期間保存を可能にするメモリアルプレートに関するものである。
【背景技術】
【０００２】
現存する個人のDNAを分離し、DNA鑑定等に使用することは行われており、さらに合成樹脂に埋封し、ペンダント等として使用する例はあるが、可視量のDNAを使った例はない。
【先行技術文献】
【特許文献】
【０００３】
【特許文献１】特開2006-255367 発明の名称：メモリアル装身具
【非特許文献】
【０００４】
【非特許文献１】実用新案登録第3114560号 考案の名称：お香及び遺骨、遺灰等を密閉した装飾品
【０００５】
【非特許文献２】商品名：DNAペンダント URL：http://tokusou24.com/sougi04.html
【考案の概要】
【考案が解決しようとする課題】
【０００６】
現存する個人のDNAを可視量分離するのは体細胞の分裂回数の制限のため困難な作業である。
【０００７】
分離したDNAが現存する個人のDNAであることを分子生物学的に証明する必要がある。
【０００８】
現存する個人のDNAを後世に継承するために、長期に保存できるようにする。
【課題を解決するための手段】
【０００９】
現存する個人の皮膚組織（約2mm四方）等を切り取り、RPMI1640培地に牛血清およびヒト成長ホルモン等を加えた培地で培養し増殖させる方法は公知であるが、培地の交換、細胞の移し換え等の工夫を行う。DNAは公知の方法であるフェノール法で抽出する。
【００１０】
個人のDNAを約1mg/mlになるように蒸留水に溶かし、凍結乾燥し、合成樹脂に埋封し、長期保存ができるようにする。
【００１１】
現存する個人のDNAのAQP1遺伝子等の塩基配列を公知のダイプライマー法でDNAシークエンサーを用いて解析する。この遺伝情報を金属プレートに印字し、DNAと一緒に合成樹脂に埋封することによって、埋封DNAが現在個人のDNAであることを保証する。埋封DNAの一部を合成樹脂から分離し、DNAの塩基配列を解析することによって、金属プレート記載のDNAと同一であることを確認できる。
【００１２】
金属プレートに個人情報（名前、生年月日、特徴）を記して合成樹脂に埋封することによって、後世に個人のDNAを継承する。
【００１３】
花などをDNAの周りに配置し、合成樹脂の中に埋封することによって装飾性を持たせる。
【考案の効果】
【００１４】
現存する個人自身、親族および他人が個人の存在の源である遺伝情報分子であるDNAを可視化できる。
【００１５】
合成樹脂に埋封されたDNAは半永久的に保存でき、また、有機溶媒を使えば分子生物学的に機能するDNAを分離することができるので個人の遺伝情報を後世に継承することができる。
【００１６】
個人のAQP1等の遺伝情報を解読したデーターが蓄積し、将来文化人類学的研究の資料となる。
【実施例】
【００１７】
以下、添付図面に従って実施例を説明する。図1,2は本体の樹脂より1/10程度小さい合成樹脂で、DNAを埋封した樹脂の実施例である。図2は、図1の樹脂を研磨し、上面を半円形にする実施例である。
【００１８】
図3はDNAを埋封した樹脂、花および金属プレートを配置し、合成樹脂で埋封した本体樹脂の実施例である。図4は本体樹脂の立像である。
【００１９】
図5は本体樹脂の立像の側面で、DNAを埋封した樹脂、花および金属プレートの配置の実施例である。
【図面の簡単な説明】
【００２０】
【図１】DNAを埋封した合成樹脂の斜視図である。
【図２】DNAを埋封した樹脂を半球形に研磨した図である。
【図３】本体樹脂の横倒しの斜視図である。
【図４】本体樹脂を立てた時の斜視図である。
【図５】本体樹脂の側面図である。
【符号の説明】
【００２１】
1a  台座の合成樹脂
1b  流し込んだ合成樹脂
1c  凍結乾燥した現存する個人のDNA
3a  本体の台座の合成樹脂
3b  本体の流し込んだ合成樹脂
3c  金属プレート
3d  装飾性の花など
【図１】
0003167606.tif 000003
【図２】
0003167606.tif 000004
【図３】
0003167606.tif 000005
【図４】
0003167606.tif 000006
【図５】
0003167606.tif 000007
【手続補正書】
【提出日】平成23年3月2日(2011.3.2)
【手続補正１】
【補正対象書類名】実用新案登録請求の範囲
【補正対象項目名】全文
【補正方法】変更
【補正の内容】
【実用新案登録請求の範囲】
【請求項１】
合成樹脂の台座の上に、現存する個人のDNAを埋封した合成樹脂を配置   し、さらにその上に合成樹脂を流して固化させたことを特徴とするメモ   リアルプレート。
【請求項２】
合成樹脂の中に、個人情報と個人のDNAのアクアポリン遺伝子等の遺伝     情報を記した金属プレートを埋封したことを特徴とする、請求項1記載の   メモリアルプレート
【請求項３】
合成樹脂の中に、花等を埋封し、装飾性を持たせたことを特徴とする、   請求項1記載のメモリアルプレート。
(57)【要約】      （修正有）【課題】スーツケースの存在を他者に認識させることができる伸縮自在ＬＥＤ警告棒付きスーツケースを提供する。【解決手段】底面部に複数個の車輪を設け、上部にコの字型のハンドルが伸縮自在に設けられている箱状のスーツケースにおいて、ハンドルの取っ手部に細長い溝を穿ち、ハンドルの一方の垂直部分に球体の一部を収納する継ぎ手を螺合し、球体から延長する伸縮自在の棒の先端部に内蔵する電池によって点滅するＬＥＤを備える棒を溝に収納する。【選択図】図１
0003167676.tif 000002
【実用新案登録請求の範囲】
【請求項１】
底面部に複数個の車輪を設け、上部にコの字型のハンドルが伸縮自在に設けられて
いる箱状のスーツケースにおいて、前記ハンドルの取っ手部に細長い溝を穿ち、前記
ハンドルの一方の垂直部分に球体の一部を収納する継ぎ手を螺合し、該球体から延長
する伸縮自在の棒の先端部に内蔵する電池によって点滅するLEDを備える該棒を前
記溝に収納することを特徴とする伸縮自在LED警告棒付きスーツケース。
【考案の詳細な説明】
【技術分野】
【０００１】
本考案は、底面部に複数個の車輪を設けたスーツケースの存在を他者に認識させる
ことができる、伸縮自在LED警告棒をハンドルに付けたスーツケースに関する。
【背景技術】
【０００２】
底面部に複数個の車輪を設け、上部にコの字型のハンドルが伸縮自在に設けられて
いる箱状スーツケースと、先端にLEDを備える入子式の伸縮する指示棒は従来より知
られている。
【先行技術文献】
【特許文献】
【０００３】
【特許文献１】特開２００９−１７８４５５
【考案の概要】
【考案が解決しようとする課題】
【０００４】
しかしながら、混雑する場所での移動の際に、スーツケースの存在を周知させる
ための手段を持たない従来品は、斜め後方に引いて移動するため目線より下に存在す
るので周囲の人には認識しずらく、接触による怪我や転倒などの危険性があった。
【課題を解決するための手段】
【０００５】
本考案は、底面部に複数個の車輪を設け、上部にコの字型のハンドルが伸縮自在に
設けられている箱状のスーツケースにおいて、前記ハンドルの取っ手部に細長い溝を
穿ち、前記溝の内部に伸縮自在LED警告棒を収納する。使用時に該棒を引き出して伸
長することで、前記棒の先端部に内蔵する電池を電源にしてLEDが点滅し、スーツケ
ースの存在を警告することが実現し、これにより上記課題を解決するものである。
【考案の効果】
【０００６】
本考案に係る伸縮自在LED警告棒付きスーツケースは、ハンドルを引き出して
LED警告棒を伸長した状態において、大人の目線近くで点滅するので、スーツケース
の存在を周囲の人に知らしめて注意を促すことができる。
【図面の簡単な説明】
【０００７】
【図１】本考案の実施例を示す正面図である。
【図２】本考案に係る図１における右側面図である。
【図３】本考案に係る平面図である。
【図４】本考案に係る伸縮自在LED警告棒及びハンドル伸縮部における拡大断面図である。
【図５】本考案に係る伸縮自在LED警告棒の伸長した状態における外観図である。
【図６−１】本考案に係る伸縮自在ＬＥＤ警告棒の拡大断面図である。
【図６−２】本考案に係る伸縮自在ＬＥＤ警告棒の拡大断面図である。
【図７】本考案に係る使用状態図である。
【考案を実施するための形態】
【０００８】
図１、図２に示すように、底面部に複数個の車輪９を設け上部にコの字型のハンド
ル７−１が伸縮自在図３に示すように７−２、７−３に設けられている箱状のスーツ
ケース８において、図４に示すように、前記ハンドル取っ手部７−１に、伸縮自在
LED警告棒２−１を収納する表面が飛び出さない深さの細長い溝１０を穿ち、前記ハ
ンドル７−１の一方の垂直部分に、該警告棒２−１の最後部の球体２−２の一部を収
納する受入口を圧縮加工した継ぎ手５をネジ６で螺合する。警告棒２−１は、継ぎ手
５との接続部分で３６０度転回するものである。前記警告棒２−１を回転させる構造
は、前記球体２−２の受入口を凹設にしたり前記継ぎ手５内部に先端部をU字型にす
る回転軸を設け、前記警告棒２−１の最後部をU字型に形成して枢着する方法もある。
LEDは、赤色で表示することも可能である
【０００９】
図５に示すように、入子式の伸縮自在LED１警告棒２−１を伸長したものである。
【００１０】
図６−１に示すように、LED１付き棒２−１を中心とした入子式の円筒棒は、伸長
させることで電源である電池３上部に装着している接触バネ４−１が伸長しスイッチ
４−２が作動しLEDが点滅する。
【００１１】
図６−２に示すように、伸縮自在警告棒２−１は伸長した状態で、継ぎ手５との接
合部分において前後４５度に斜倒するものである。
【００１２】
上記工程により、完成したコの字型のハンドル７−１に伸縮自在LED１警告棒２−
１を付けたことを特徴とするスーツケース８は、該スーツケース８の前記ハンドル
７−１上部より前記警告棒２−１を取り出し、伸長することによりLED１を点滅させ
ることができる。これにより大勢の人が交差する駅や空港などで、前記スーツケース
８の存在を周囲の人に知らしめて注意を促すことができる。
【符号の説明】
【００１３】
１  LED
２  警告棒
３  電池
４  バネ
５  継ぎ手
６  ネジ
７  ハンドル
８  スーツケース
９  車輪
１０  溝
【図１】
0003167676.tif 000003
【図２】
0003167676.tif 000004
【図３】
0003167676.tif 000005
【図４】
0003167676.tif 000006
【図５】
0003167676.tif 000007
【図６−１】
0003167676.tif 000008
【図６−２】
0003167676.tif 000009
【図７】
0003167676.tif 000010
(57)【要約】      （修正有）【課題】墓の内部空間の湿りを防止できる構造とした納骨堂を提供する。【解決手段】墓の覆う板１によって矩形枠状に形成された内部空間２を有する納骨堂３の内部空間に、外気と連通する入気孔と、脱気孔５を覆う板１に設けた。入気孔に穿設した外気連通孔は、雨水の浸入を防止するために、斜め上に末広がりに穿設した。更に、納骨堂３内の入堂下部６に、地面７に連通する開口８および又は、入堂踏込み穴９を設けるとともに、納骨堂３の上方を覆う板１の交差部１０に耐震柱１１を立設した。加えて、納骨堂３に付属する物入れに外気と連通する脱気孔５を設けると共に、物入れの下面を外側に傾斜させた。また、納骨堂３の観音扉１５の内側に水切り部１６を突設したので、雨水や塵が入らなくなった。【選択図】図１
0003167919.tif 000002
【実用新案登録請求の範囲】
【請求項１】
覆う板によって矩形枠状に形成された内部空間を有する納骨堂に、前記内部空間に外気と連通する入気孔と、脱気孔を前記覆う板に設けたことを特徴とする納骨堂。
【請求項２】
上記納骨堂内の入堂下部に、地面に連通する開口および又は、入堂踏込み穴を設けたことを特徴とする請求項１に記載の納骨堂。
【請求項３】
上記納骨堂内に、上方を覆う前記覆う板の交差部に耐震柱を立設したことを特徴とする請求項１、若しくは、請求項２に記載の納骨堂。
【請求項４】
上記納骨堂に付属する物入れに外気と連通する脱気孔を設けると共に、前記物入れの下面を外側に傾斜させたことを特徴とする請求項１、若しくは、請求項２に記載の納骨堂。
【請求項５】
上記納骨堂の観音扉の内側に水切り部を突設したことを特徴とする請求項１、若しくは、請求項２に記載の納骨堂。
【考案の詳細な説明】
【技術分野】
【０００１】本考案は、墓の内部空間の湿りを防止する納骨堂に関するものである。
【背景技術】
【０００２】  外柵内に墓石を設け、墓石下方の外柵内に納骨堂を形成した大型の墓が一般に用いられ、この墓は長崎地方に多い。
【先行技術文献】
長崎地方では、海洋に面し、湿気で、墓の納骨堂内部が湿りっぽい傾向にある。
【特許文献】
【０００３】
【特許文献１】実用新案登録第３１０３４８８号公報
【０００４】
【考案の概要】
【考案が解決しようとする課題】
【０００５】従来の納骨堂内部空間の結露除去方法は側面から側面への横方向脱気の為対流を利用する縦方向脱気に比べて換気が難しく結露予防の効果が乏しいので、更なる結露防止が必要とされる。また、納骨堂内への入堂が困難の為、入堂踏込み穴を骨棚範囲確保の為、枡状に、設け納骨作業及び堂内清掃作業容易にすることが望まれる。
更に、納骨堂、覆う板に付いては従来コンクリートが主流であったが、耐久性に問題が有り、近年石材の使用傾向になったが、重量分散し現場への運搬を可能にし、その交点に従来は壁石にて堂内を仕切るように使用していた為、堂内を広く活用出来無かったが、耐震柱の使用により、覆う板（石）の分割使用を可能にし、安全性、作業性を確保することが望まれる。  又納骨堂の観音扉の下部隙間より風雨による雨、塵の漏れが有り、防雨及び防塵をすることが必須であり、物入に収納すべき線香などに湿気が有り、湿気除去をすることが望まれる。又、５０回忌、または、必要時に土葬の習慣に対応すべく地面に連通する土葬用土を設けているが、納骨堂内部空間への地熱伝導及び湿気を防ぐことが望まれる。
【課題を解決するための手段】
【０００６】本考案では、覆う板によって矩形枠状に形成された内部空間を有する納骨堂に、前記内部空間に外気と連通する入気孔（前面、側面、背面の出来る限り底辺側より入気）と、脱気孔を覆う板に設けたことを特徴とする納骨堂で、更に、納骨堂内の入堂下部に、地面に連通する開口および又は、入堂踏込み穴を設けるとともに、納骨堂内に、上方を覆う板の交差部に耐震柱を立設した。加えて、納骨堂に付属する物入れに外気と連通する脱気孔を設けると共に、物入れの下面を外側に傾斜させた。また、納骨堂の観音扉の内側に水切り部を突設した。
【考案の効果】
【０００７】本考案では、覆う板によって矩形枠状に形成された内部空間を有する納骨堂に、前記内部空間に外気と連通する入気孔と、脱気孔を覆う板に設けたので、結露予防が可能になった。更に、納骨堂内の入堂下部に、地面に連通する開口および又は、入堂踏込み穴を設けたので、入堂し易くなり、納骨、土葬埋骨、清掃が容易になった。
納骨堂内に、上方を覆う板の交差部に耐震柱を立設したので、広さを必要とする納骨堂にて覆う板石材の複数枚の使用が可能になった。納骨堂に付属する物入れに外気と連通する脱気孔を設けたので、結露予防が可能となった。物入れの下面を外側に傾斜させたので、水分が留まらなくなった。納骨堂の観音扉の内側に水切り部を突設したので、雨水又塵が入らなくなった。
【図面の簡単な説明】
【０００８】
【図１】本考案に係る一実施例の耐震納骨堂を示す側断面図である。
【図２】図１のＡ−Ａ線矢視の耐震納骨堂の要部を示す平面図である。
【図３】耐震納骨堂に配設した入気孔の事例を示す部品の詳細説明図である。
【図４】耐震納骨堂に配設した脱気孔の事例を示す部品の詳細説明図である。
【図５】耐震納骨堂に付属する物入れに脱気孔と、物入れの下面を外側に傾斜させた事例を示す説明図である。
【考案を実施するための形態】
【０００９】本考案に係る１実施例を図１から図５を参照して、以下説明する。
【実施例】
【００１０】図１と図２に図示する如く、墓の覆う板１によって矩形枠状に形成された内部空間２を有する納骨堂３の内部空間に、図３と図４に図示する外気と連通する入気孔４と、脱気孔５を覆う板１に設けた。図３に図示する如く、入気孔４に穿設した外気連通孔２０は、雨水の浸入を防止するために、斜め上に末広がりに穿設した。更に、納骨堂３内の入堂下部６に、地面７に連通する開口８および又は、入堂踏込み穴９を設けるとともに、納骨堂３の上方を覆う板１の交差部１０に耐震柱１１を立設した。加えて、図５に図示する納骨堂３に付属する物入れ１２に外気と連通する脱気孔５を設けると共に、物入れ１２の下面１４を外側に傾斜させた。また、納骨堂３の観音扉１５の内側に水切り部１６を突設したので、雨水や塵が入らなくなった。図２中の符号１７は、地面７に連通する開口８の蓋石１９の取手を示す。図３と図４に図示の符号１８は、入気孔４と、脱気孔５に連通する開口内側に取付けた防虫網１８を示す。
【符号の説明】
【００１１】１    墓の覆う板
２    内部空間
３    納骨堂
４    納骨堂の入気孔
４ａ  納骨堂上側の入気孔
４ｂ  納骨堂下側の入気孔
５    納骨堂の脱気孔
６    入堂下部
７    地面及び土葬用土
８    開口
９    入堂踏込み穴
１０  交差部
１１  耐震柱
１２  物入れ
１３  物入れの脱気孔
１４  物入れの下面
１５  観音扉
１６  水切り部
１７  取手
１８  防虫網
１９  蓋石
２０  外気連通孔
【図１】
0003167919.tif 000003
【図２】
0003167919.tif 000004
【図３】
0003167919.tif 000005
【図４】
0003167919.tif 000006
【図５】
0003167919.tif 000007